(57)【要約】【課題】構造上複雑になり難く、且つ、意匠性を確保しながら、十分な採光機能及び通気機能を有するドアを提供する。【解決手段】ドア本体２の厚み方向に貫通する縦長の通気開口部２０がドア本体２に設けられる。縦長で透光性を有する採光パネル３が通気開口部２０を閉じる閉位置と通気開口部２０を開く開位置との間で縦軸回りに回動自在に設けられる。通気開口部２０及び採光パネル３がドア本体２の戸先側に設けられる。【選択図】図１
2015010395.tif 000002
【特許請求の範囲】
【請求項１】
ドア本体の厚み方向に貫通する縦長の通気開口部が前記ドア本体に設けられ、縦長で透光性を有する採光パネルが前記通気開口部を閉じる閉位置と前記通気開口部を開く開位置との間で縦軸回りに回動自在に設けられ、前記通気開口部及び前記採光パネルが前記ドア本体の戸先側に設けられたことを特徴とするドア。
【請求項２】
前記通気開口部が前記ドア本体の上下方向に複数設けられ、これら通気開口部の夫々に前記採光パネルが設けられ、前記ドア本体に取手としてレバーハンドルが設けられ、前記ドア本体において上下に隣り合う前記通気開口部の間の部分が、正面視で前記レバーハンドルと重なる位置に設けられたことを特徴とする請求項１に記載のドア。
【発明の詳細な説明】
【技術分野】
【０００１】
本発明は、採光機能を有するドアに関する。
【背景技術】
【０００２】
特許文献１には、ドア本体に形成された開口部に透光性を有するパネルを装着して、採光機能を付与したドアが開示されている。
【先行技術文献】
【特許文献】
【０００３】
【特許文献１】特開２００９−２６４０７４号公報
【発明の概要】
【発明が解決しようとする課題】
【０００４】
ところで、特許文献１に開示されるドアは、パネルとこのパネルが配置される開口部の側面に設けられたエッジ部材との間に通気路が形成されているものの、十分な通気機能を確保し難く、部屋を十分に換気するには、ドアを開いて建物開口部を開放する必要がある。しかし、このようにドアを開くと、外部から建物開口部を通して部屋の広い範囲が見えやすくなる。このため、リビングや寝室等、私的な部屋を見られることに抵抗のある人等は、不快に感じる可能性がある。
【０００５】
ここで、ドアに前記パネルに加えてルーバーを設けることで、ドアに採光機能と通気機能を付与することが考えられる。しかし、この場合は、ドアをシンプルな外観とすることが難しく、また、構造上も複雑になる恐れがある。また、パネルとルーバーの両者を限られた大きさのドアに設ける必要があるため、ドアの意匠性を確保しながら、十分な採光量と十分な通気量を確保することも難しい。
【０００６】
本発明は前記事情に鑑みてなされたものであって、構造上複雑になり難く、且つ、意匠性を確保しながら、十分な採光機能及び通気機能を有するドアを提供することを課題とする。
【課題を解決するための手段】
【０００７】
上記課題を解決するために本発明のドアは、ドア本体の厚み方向に貫通する縦長の通気開口部が前記ドア本体に設けられ、縦長で透光性を有する採光パネルが前記通気開口部を閉じる閉位置と前記通気開口部を開く開位置との間で縦軸回りに回動自在に設けられ、前記通気開口部及び前記採光パネルが前記ドア本体の戸先側に設けられたことを特徴とする。
【０００８】
また、前記通気開口部が前記ドア本体の上下方向に複数設けられ、これら通気開口部の夫々に前記採光パネルが設けられ、前記ドア本体に取手としてレバーハンドルが設けられ、前記ドア本体において上下に隣り合う前記通気開口部の間の部分が、正面視で前記レバーハンドルと重なる位置に設けられることが好ましい。
【発明の効果】
【０００９】
本発明に係るドアにあっては、採光パネルを透して、部屋に光をとり入れることができる。また、利用者は、採光パネルを開位置に配置することで、通気開口部を通して部屋の換気を行うことができ、採光パネルを閉位置に配置することで、通気開口部を塞ぐこともができる。すなわち、本発明に係るドアは、透光性を有する採光パネルを通気開口部を開閉する部材として用いたことにより、通気機能と採光機能の両者を有している。このため、通気機能と採光機能の両機能を確保しながら、外観をシンプルにすることができ、また、構造を簡単にすることができる。また、利用者がドアを開閉するにあたって戸先側を操作する際、及び利用者が採光パネルを開閉する際に、当該利用者から採光パネルを通してドアの裏側に居る人を視認しやすくなる。従って、利用者がドアを開閉する際や、採光パネルを開閉する際に、不意にドアが開かれて利用者に接触するといった事態を生じ難くすることができ、安全性を高めることができる。
【図面の簡単な説明】
【００１０】
【図１】本発明の実施形態のドアの採光パネルが設けられた通気開口部における水平断面図であり、（ａ）は採光パネルを閉位置に配置した状態を示し、（ｂ）は採光パネルを開位置に配置した状態を示している。
【図２】同上のドアの正面図である。
【図３】同上のドアの要部斜視図である。
【図４】同上のドアの分解斜視図である。
【図５】図４の拡大図である。
【図６】同上の上側の軸受ユニットの斜視図である。
【図７】同上の軸受ユニットの分解斜視図である。
【図８】同上の軸受ユニットの動作を示す説明図であり、（ａ）は採光パネルが閉位置に配置されたときの状態を示し、（ｂ）は採光パネルが閉位置と開位置の間に配置されたときの状態を示し、（ｃ）は採光パネルが開位置に配置されたときの状態を示している。
【図９】他例のドアの通気開口部における水平断面図である。
【図１０】さらに他例のドア通気開口部における水平断面図である。
【発明を実施するための形態】
【００１１】
以下、添付図面に基づいて本発明の実施形態につき説明する。図２は本実施形態のドア１の正面図である。ドア１は、図示しないドア枠により構成された建物開口部に回動自在に設けられる開き戸であって、建物の内部を仕切る建具として用いられる。なお、以下では、ドア１の厚み方向を前後方向、幅方向を左右方向として説明する。
【００１２】
ドア１は、ドア本体２と採光パネル３を備えている。採光パネル３は、ドア本体２に形成された通気開口部２０に設けられており、通気開口部２０を開閉する。本実施形態では、ドア本体２の戸先側に縦長の通気開口部２０がドア本体２の上下方向の略全長に亘るように上下に２つ並べて形成されており、各通気開口部２０に縦長の採光パネル３が設けられている。このため、採光パネル３を選択的に開くことで、プライベート性を確保しながら通気ができるようになっている。なお、ドア本体２に設けられる採光パネル３の数は二枚に限られるものではなく、例えば、ドア本体２の上下方向の略全長に亘るように、一枚あるいは三枚以上設けてもよい。
【００１３】
採光パネル３は、図１（ａ）に示される閉位置から、図１（ｂ）に示される開位置までの範囲で回動できるように、ドア本体２に縦軸回りに回動自在に取り付けられている。ここで、縦軸回りとは、採光パネル３の回動軸方向が縦方向（上下方向）であることを意味する。なお、以下の説明では、特に記載する場合を除き、図１（ａ）に示されるように、採光パネル３が通気開口部２０を閉じる閉位置に配置されたときの方向を基準にして説明する。すなわち、採光パネル３の厚み方向を前後方向とし、採光パネル３の幅方向を左右方向として説明する。
【００１４】
採光パネル３は、通気開口部２０と略同じ長さである。採光パネル３の厚みは、ドア本体２の厚みよりも小さく、採光パネル３の幅は、通気開口部２０の幅よりもやや小さい。
【００１５】
図５に示されるように、採光パネル３は、透光性を有する縦長平板状の透光板４と、透光板４の四周を囲んで保持するパネル枠５とで構成されている。
【００１６】
透光板４はガラス板であり、詳しくは、合成樹脂膜を介して二枚の板ガラスを接着した合わせガラスである。このように透光板４を帯電性の低いガラス板とすることで、採光パネル３に埃やごみ等を付き難くすることができる。なお、透光板４は合わせガラスに限られず、一枚の板ガラスであってもよい。また、透光板４は、アクリル樹脂等のその他の透明な材料で形成されてもよい。透光板４は、縦長矩形状に形成されており、また、その水平断面形状は図１に示されるように矩形状である。
【００１７】
図５に示されるように、パネル枠５は、矩形状に枠組みされる、左右の縦枠材５０及び上下の横枠材５１で構成されている。採光パネル３の側縁部を構成する各縦枠材５０は、金属製であって、例えばアルミニウム製である。縦長の各縦枠材５０の長さは、透光板４の長さと略同じである。
【００１８】
各縦枠材５０の水平断面形状は、上下方向に亘って一様であって、図１（ａ）に示されるように透光板４側に開口した溝状（略Ｃ字状）である。各縦枠材５０は、溝奥部を構成する主部５００と、主部５００の前後両端部から透光板４側に突出した縁部５０１で構成されている。
【００１９】
各縦枠材５０の他方の縦枠材５０側の面である内側面には、他方の縦枠材５０側に開口する縦溝部５０２が上下方向に亘って形成されている。縦溝部５０２は、溝奥部が主部５００の他方の縦枠材５０側の面で構成され、溝側面が両縁部５０１の対向面で構成されている。縦溝部５０２に透光板４の側端部を嵌め込むことで、縦枠材５０は透光板４に嵌め付けられる。
【００２０】
各縦枠材５０の主部５００の厚み（前後寸法）は、透光板４側から離れる程小さくなっている。主部５００の表面部となる前面部及び後面部は、透光板４側から離れる程互いに近づくように傾斜した傾斜面部５０３となっている。各縦枠材５０の前後の縁部５０１の表面部分５０４は、縦溝部５０２の溝幅方向に対して直交している。
【００２１】
各縦枠材５０を透光板４に嵌め付けたとき、各縦枠材５０の前後の縁部５０１の表面部分５０４は、透光板４の両面と平行になる。採光パネル３が図１（ｂ）に示される開位置に配置されたとき、採光パネル３は、ドア本体２の幅方向に対して傾斜する。このとき、戸先側の縦枠材５０の前側の傾斜面部５０３は、ドア本体２の前面と平行且つ面一になる。また、吊元側の縦枠材５０の後側の傾斜面部５０３がドア本体２の後面と平行且つ面一になる。
【００２２】
各縦枠材５０の上端部及び下端部には、ビスねじ込み部が形成されている。本実施形態では、縦溝部５０２の溝奥面に水平断面Ｃ字状のビスポケット５０５が上下方向に亘って形成されており、ビスポケット５０５の上下両端部でビスねじ込み部が構成されている。
【００２３】
図５に示されるように、横長の横枠材５１は、両縦枠材５０の上端部間及び下端部間に架け渡される。各横枠材５１の長さ方向の両端部には、上下に貫通するビス用孔（不図示）が形成されている。各横枠材５１には、透光板４側に開口する横溝部（不図示）が左右方向に亘って形成されている。
【００２４】
各横枠材５１は、横溝部に透光板４の長手方向の端部を嵌め込むことで、透光板４に嵌め付けられる。各横枠材５１は、このように透光板４に嵌め付けられた状態で、各ビス用孔にビス５２を通し、これらビス５２を縦枠材５０のビスねじ込み部にねじ込むことで、両縦枠材５０に取り付けられる。つまり、透光板４は、左右両端部がパネル枠５の縦溝部５０２に嵌め込まれ、上下両端部がパネル枠５の横溝部に嵌め込まれ、左右の縦枠材５０で挟まれ且つ上下の横枠材５１で挟まれることで、パネル枠５に保持される。
【００２５】
上下の横枠材５１の透光板４と反対側の外面における横枠材５１の長手方向の中間部には、透光板４と反対側に突出した軸部５１０が形成されている。採光パネル３の回動軸となる軸部５１０の軸心は、透光板４の水平断面における中心を通る中心線と一致している。採光パネル３は、上下の軸部５１０が通気開口部２０の上下に設けられた軸受部で回動自在に支持されることで、ドア本体２に対して縦軸回りに回動自在に取り付けられる。
【００２６】
ドア本体２は、図４に示される、左右のドア材６と、両ドア材６を連結する連結材７とで構成されている。
【００２７】
両ドア材６は縦長の矩形板状である。戸先側のドア材６は、ドア本体２の戸先側の端部を構成している。吊元側のドア材６は、戸先側のドア材６よりも幅が広く、ドア本体２の戸先側部分を除く過半部を構成している。
【００２８】
両ドア材６は、互いの上端部、下端部、及び中間部が横長棒状の連結材７によって連結される。これにより、ドア本体２に、縦長矩形状の通気開口部２０（図２参照）が２つ形成される。以下、特に区別する場合には、上側の連結材７、下側の連結材７、及びその間の連結材７を夫々、上連結材７０、下連結材７１、及び中間連結材７２と記載する。
【００２９】
上側の通気開口部２０は、上連結材７０、中間連結材７２、及び左右のドア材６の上部で囲まれている。下側の通気開口部２０は、中間連結材７２、下連結材７１、及び左右のドア材６の下部で囲まれている。
【００３０】
両ドア材６は、いわゆるフラッシュ構造を有するパネル材であって、図１に示されるように芯材６４の表面を表面材６５で被覆したものである。芯材６４は木製であり、矩形状の枠体で構成されている。表面材６５は、板材６５０の表面に合成樹脂製で木目模様が施された化粧シート６５１を積層し、板材６５０の裏面に折曲溝を形成することで折曲可能にしたものが用いられる。なお、ドア材６は、水平断面矩形状の板を芯材としたものや、無垢材等であってもよい。
【００３１】
図５に示されるように、各ドア材６の上下両端面には、他方のドア材６側に開口する嵌込溝部６２が形成されている。嵌込溝部６２は、図３に示されるように、上連結材７０や下連結材７１を嵌め込む部分となる。
【００３２】
各ドア材６の他方のドア材６側の側面には、縦長の凹溝部６３（図１参照）が形成されている。各凹溝部６３は、ドア材６の嵌込溝部６２が形成された上下両端部を除く部分に亘って形成されており、ドア材６の厚み方向における中間部に形成されている。
【００３３】
図５に示される中間連結材７２は、無垢材、あるいは、ドア材６と同様のパネル材等で構成される。中間連結材７２の両側端面の上下には、ダボ７２０が設けられている。中間連結材７２の両側端部は凹溝部６３の長さ方向の中間部に形成された幅広の凹所６３０に嵌め込まれ、中間連結材７２の各ダボ７２０は、対応する凹所６３０の奥部に形成された穴（不図示）に嵌め込まれる。これにより、両ドア材６の上下方向の中間部が中間連結材７２によって連結される。
【００３４】
図１（ａ）に示されるように、各通気開口部２０の両側面には、縁隠し材８が取り付けられる。各縁隠し材８は通気開口部２０の上下方向の全長に亘る。各縁隠し材８は合成樹脂製であり、その表面には木目模様が施されている。なお、各縁隠し材８は、合成樹脂製に限られず、例えば木製であってもよい。
【００３５】
各縁隠し材８の水平断面形状は、上下方向に亘って一様である。各縁隠し材８は、幅方向の一端部を凹溝部６３に嵌め込んで接着することにより、ドア材６に取り付けられる。各縁隠し材８は、その厚みが採光パネル３（パネル枠５）の厚みと略同じで且つドア本体２（ドア材６）の厚みよりも小さく、ドア本体２の厚みの範囲内に収めて設けられる。このようにすることで、通気開口部２０を開いたときに縁隠し材８を小さくして通気の邪魔になり難くすることができる。なお、各縁隠し材８の厚みは、十分な通気量を確保するため、ドア本体２の厚みの１／２以下とすることが好ましい。各通気開口部２０の両側の縁隠し材８は、ドア本体２の厚み方向における中間部に位置し、互いに対向する。
【００３６】
各縁隠し材８の凹溝部６３と反対側の部分は、通気開口部２０の側面から通気開口部２０の幅方向内側に向かって突出する。各縁隠し材８には、採光パネル３側に突出した突出部８０が形成されている。各通気開口部２０の両側の縁隠し材８のうち、戸先側の縁隠し材８の突出部８０は、縁隠し材８の後部から採光パネル３側に突出している。他方、吊元側の縁隠し材８の突出部８０は、縁隠し材８の前部から採光パネル３側に突出している。
【００３７】
図１（ａ）に示されるように、閉位置に配置された採光パネル３は、ドア本体２の幅方向（ドア材６の幅方向）と平行になる。このとき、両縦枠材５０は、対応する縁隠し材８の突出部８０の突端部と前後方向から見て重なる。これにより、通気開口部２０の戸先側の側面と採光パネル３の間の隙間は、戸先側の縁隠し材８によって塞がれ、通気開口部２０の吊元側の側面と採光パネル３の間の隙間は、吊元側の縁隠し材８によって塞がれる。
【００３８】
各通気開口部２０の両側の縁隠し材８のうち、戸先側の縁隠し材８の突出部８０の前面は、吊元側に行く程後方に位置するように傾斜した斜面部８１になっている。また、吊元側の縁隠し材８の突出部８０の後面は、戸先側に行く程前方に位置するように傾斜した斜面部８１になっている。
【００３９】
図１（ａ）に示されるように、閉位置に採光パネル３が配置されたとき、戸先側の縦枠材５０の後側の傾斜面部５０３は、戸先側の縁隠し材８の斜面部８１と略平行になり、同斜面部８１に対向して面接触する。また、吊元側の縦枠材５０の前側の傾斜面部５０３は、吊元側の縁隠し材８の斜面部８１と略平行になり、同斜面部８１に対向して面接触する。このため、採光パネル３を閉位置に配置したときに採光パネル３と縁隠し材８の密着性を高め、通気を確実に遮断することが可能になる。
【００４０】
図５に示されるように、中間連結材７２の上面及び下面の夫々の中央部には、挿入穴７２１が形成されている。上下の採光パネル３のうちの上側の採光パネル３は、下側の軸部５１０が中間連結材７２の上面に形成された挿入穴７２１に挿入されて回動自在に支持される。また、図示は省略するが、下側の採光パネル３は、中間連結材７２の下面に形成された挿入穴に挿入されて回動自在に支持される。すなわち、本実施形態では、中間連結材７２の上下の挿入穴７２１が、採光パネル３の中間連結材７２側の軸部５１０を受ける軸受部になる。
【００４１】
上連結材７０及び下連結材７１は、左右に長いフレーム材７３の外面部を、化粧シート材７４で被覆したものである。フレーム材７３は、垂直断面形状が略矩形枠状であって、金属製であり、例えばアルミニウム製である。化粧シート材７４は合成樹脂製であり、その表面には、木目模様が施されている。
【００４２】
上連結材７０及び下連結材７１の夫々のフレーム材７３には、図４に示される軸受ユニット９が内装される。上側の採光パネル３の上側の軸部５１０は、上連結材７０に設けられた軸受ユニット９に回動自在に支持される。下側の採光パネル３の下側の軸部５１０は、下連結材７１に設けられた軸受ユニット９に回動自在に支持される。
【００４３】
両軸受ユニット９は、上下対称である。図６及び図７には、上連結材７０に設けられる軸受ユニット９が図示されている。
【００４４】
各軸受ユニット９は、ケーシング９０、アーム９３、ダンパー９４、付勢部材９５、押圧体９６、及び可動体９７を有している。アーム９３、ダンパー９４、付勢部材９５、押圧体９６、及び可動体９７は、ケーシング９０に内装されている。
【００４５】
ケーシング９０は、左右に長い矩形箱状に形成されている。ケーシング９０は、採光パネル３側の面部を構成する板状のベース９１と、採光パネル３側に開口した箱状でベース９１に被せ付けられるカバー９２とで構成されている。
【００４６】
図７に示されるように、ベース９１の内面には、略扇状の凹部９１１が形成されている。凹部９１１の内周面の一部は、水平断面形状が戸先側に開いた略Ｖ字状となる回動規制面９１２になっている。凹部９１１の底部における吊元側の端部（略Ｖ字状の回動規制面９１２の角部側の端部）には、ベース９１を上下に貫通する挿通孔９１０が形成されている。図示は省略するが、上側の採光パネル３の上側の軸部５１０は、上連結材７０の下面部を通して上連結材７０内の軸受ユニット９の挿通孔９１０に挿通され、当該軸受ユニット９の凹部９１１内に突出する。これにより、当該軸部５１０は、上側の軸受ユニット９により回動自在に支持される。また、下側の採光パネル３の下側の軸部５１０は、下連結材７１の上面部を通して軸受ユニット９の挿通孔９１０に挿通され、当該軸受ユニット９の凹部９１１内に突出する。これにより、当該軸部５１０は、下側の軸受ユニット９により回動自在に支持される。すなわち、本実施形態では、各軸受ユニット９の挿通孔９１０が、採光パネル３の中間連結材７２と反対側の軸部５１０を受ける軸受部になる。
【００４７】
凹部９１１には、アーム９３が配置される。アーム９３の一端部には、連結孔９３０が形成されている。連結孔９３０には、採光パネル３の中間連結材７２と反対側の軸部５１０が挿入され、当該軸部５１０はアーム９３に対して固定される。これにより、アーム９３は、採光パネル３の軸部５１０と共に回動する。
【００４８】
アーム９３の回動範囲は、凹部９１１の回動規制面９１２によって、採光パネル３がドア本体２の厚みの範囲内に収まるように規制される。つまり、本実施形態では、軸受ユニット９の回動規制面９１２が、採光パネル３の回動範囲を規制する回動規制手段を構成している。
【００４９】
採光パネル３が閉位置に配置されたとき、アーム９３は、図８（ａ）に示されるように回動規制面９１２の後側の面に当接し、後側に回動不能になる。このように閉位置に配置された採光パネル３は、図１（ａ）に示されるようにドア本体２の厚み方向の中心部に配置される。また、採光パネル３が開位置に配置されたとき、アーム９３は、図８（ｃ）に示されるように回動規制面９１２の前側の面に当接し、前側に回動不能になる。このように開位置に配置された採光パネル３は、図１（ｂ）に示されるように、ドア本体２の厚み方向の両端に位置する傾斜面部５０３が、ドア本体２の前面又は後面と前後方向において同位置に配置され、この場合もドア本体２の厚みの範囲内に収まる。
【００５０】
図７に示されるように、アーム９３の連結孔９３０と反対側の端部には、採光パネル３と反対側に突出する連動部９３１が設けられている。連動部９３１は、採光パネル３の回動中心よりも戸先側にずれた位置に配置される。連動部９３１は円筒状に形成されており、水平断面円形の外周面を有している。連動部９３１は、採光パネル３が縦軸回りに回動したとき、軸部５１０を中心にしてアーム９３と共に縦軸回りに回動する。具体的には、採光パネル３が開方向に回動するときに前側に移動し、採光パネル３が閉方向に回動するときに後側に移動する。
【００５１】
図８に示されるように、付勢部材９５は、連動部９３１の戸先側に配置されている。付勢部材９５は、左右に長く伸縮方向が左右方向と平行になるコイルばねで構成されている。
【００５２】
付勢部材９５の吊元側端部には、押圧体９６が取り付けられている。押圧体９６は、連動部９３１と左右方向において並べて配置される。押圧体９６は、左右方向に移動自在である。付勢部材９５は戸先側がカバー９２によって支持され、押圧体９６を常時吊元側（連動部９３１側）にばね付勢する。
【００５３】
押圧体９６の吊元側の面は、連動部９３１を押圧する押圧面９６０となっている。押圧面９６０は、第一面部９６１と第一面部９６１よりも前側の第二面部９６２とを有している。第一面部９６１は、後方程戸先側に位置するように傾斜している。第二面部９６２は、前方程戸先側に位置するように傾斜している。
【００５４】
押圧面９６０は、さらに、中間面部９６３を有している。中間面部９６３は、水平断面形状が吊元側に凸となる弧状であり、第一面部９６１と第二面部９６２を連続させる。第一面部９６１は、第二面部９６２よりも前後方向の長さが長く、中間面部９６３は、第一面部９６１、第二面部９６２、及び中間面部９６３で構成された押圧面９６０において前寄りの位置に形成されている。
【００５５】
採光パネル３が閉位置に配置された状態では、図８（ａ）に示されるように、アーム９３の連動部９３１が第一面部９６１の後端部に当接する位置に配置される。この連動部９３１は、付勢部材９５により付勢された押圧体９６の第一面部９６１によって後側に押圧される。このため、アーム９３は、回動規制面９１２の後側の面に押し付けられ、採光パネル３は閉位置で保持される。
【００５６】
利用者が、閉位置に配置された採光パネル３を開き方向（平面視左回り）に回動させると、アーム９３は軸部５１０を中心にして前側に回動する。これに伴い、連動部９３１は押圧体９６を付勢部材９５の付勢力に抗して戸先側に押し込みながら前側に移動し、押圧体９６の中間面部９６３を乗り越える。そして採光パネル３が開位置に配置された時点で、連動部９３１は図８（ｃ）に示されるように第二面部９６２に当接する位置に配置される。このように採光パネル３が開位置に配置された状態では、連動部９３１が付勢部材９５により吊元側に付勢された押圧体９６の第二面部９６２によって前側に押圧される。このため、アーム９３は回動規制面９１２の前側の面に押し付けられ、採光パネル３は開位置で保持された状態となる。
【００５７】
利用者が開位置に配置された採光パネル３を閉じ方向（平面視右回り）に回動させると、アーム９３は軸部５１０を中心にして後側に回動する。これに伴い、連動部９３１は押圧体９６を付勢部材９５の付勢力に抗して戸先側に押し込みながら後側に移動し、押圧体９６の中間面部９６３を乗り越える。そして、採光パネル３が所定開き角度まで閉じられた時点で、連動部９３１は第一面部９６１の前端部に当接する位置に至る。このように連動部９３１が第一面部９６１の前端部に当接する位置に配置されると、付勢部材９５によって吊元側に付勢された押圧体９６の第一面部９６１によって連動部９３１が後側に押し動かされ、アーム９３は軸部５１０を中心に後側に回動する。この付勢部材９５によるアーム９３の回動は、連動部９３１が第一面部９６１の後端部に至ってアーム９３が回動規制面９１２の後側の面に当接するまで、すなわち、採光パネル３が閉位置に配置されるまで行われる。つまり、所定開き角度まで閉じられた採光パネル３は、付勢部材９５の付勢力によって閉位置まで自動的に回動する。
【００５８】
ここで、押圧体９６、及び連動部９３１が設けられたアーム９３は、付勢部材９５のドア本体２の幅方向と平行な付勢力の向きを採光パネル３の回動方向の成分を含む向きに変換した上で、付勢部材９５の付勢力を採光パネル３に伝える付勢力伝達手段を構成する。このため、本実施形態のように付勢部材９５としてドア本体２の幅方向に長いコイルばね等を利用した場合に、付勢部材９５をドア本体２（連結材７）の厚みの範囲内に収めやすくなるといった利点がある。
【００５９】
ダンパー９４は、連動部９３１の吊元側に配置されている。ダンパー９４は、伸縮式のシリンダーダンパーであり、詳しくはピストン９４０がシリンダー９４１側に押し込まれる方向に移動するときに減衰力を作用させ、且つ自動で原点に復帰する自動復帰機能を備えたワンウェイ式のオイルダンパーある。
【００６０】
ダンパー９４は、ピストン９４０を戸先側に向けて配置される。ピストン９４０の先端部には、可動体９７が取り付けられている。可動体９７は、連動部９３１と左右方向において並べて配置される。可動体９７の戸先側の面は、連動部９３１が当接する当接面９７０となっている。当接面９７０は、前方程吊元側に位置するように傾斜している。
【００６１】
採光パネル３が開位置に配置された状態では、図８（ｃ）に示されるように、ダンパー９４が伸長し、連動部９３１が可動体９７の当接面９７０の前側に配置される。利用者が、開位置に配置された採光パネル３を閉位置まで回動させると、アーム９３の回動に伴って連動部９３１が可動体９７を吊元側に押し込みながら当接面９７０の後側に移動する。このとき、可動体９７と共に吊元側に移動するピストン９４０に対して減衰力が作用し、これにより採光パネル３の閉方向の回動動作が緩衝される。また、利用者が採光パネル３を開位置まで回動させると、アーム９３の回動に伴って連動部９３１が前側に移動し、この際、可動体９７はダンパー９４の復帰力によって連動部９３１に追従して戸先側に移動し、図８（ｃ）に示す状態となる。
【００６２】
ここで、連動部９３１が設けられたアーム９３及び可動体９７は、採光パネル３の回動動作をピストン９４０のドア本体２の幅方向と平行な動作に変換する動作変換手段を構成している。このため、本実施形態のようにダンパー９４としてドア本体２の幅方向に長いシリンダーダンパーを利用して、ダンパー９４をドア本体２（連結材７）の厚みの範囲内に収めやすくなるといった利点がある。
【００６３】
ドア本体２の上連結材７０及び下連結材７１は、図３に示されるように、左右両端部が対応するドア材６の嵌込溝部６２に嵌め込まれてねじ止めされる。これら上連結材７０及び下連結材７１の採光パネル３と反対側の面は、両側のドア材６の上面や下面と略面一になる。
【００６４】
図２に示されるように、戸先側のドア材６には、取手としてレバーハンドル１０（レバー型ドアノブ）が取り付けられる。レバーハンドル１０は、ドア本体２の上下方向において両通気開口部２０の境界部となる中間連結材７２と同じ位置に設けられている。レバーハンドル１０は、非使用時において吊元側に突出してドア１の幅方向と平行になるレバー部１００を有している。非使用時におけるレバー部１００は、その先部が前後方向において中間連結材７２と重なる位置に配置される。
【００６５】
以上説明した本実施形態のドア１は、ドア本体２の厚み方向に貫通する縦長の通気開口部２０が設けられ、縦長で透光性を有する採光パネル３が通気開口部２０を閉じる閉位置と通気開口部２０を開く開位置との間で縦軸回りに回動自在に設けられる。また、通気開口部２０及び採光パネル３がドア本体２の戸先側に設けられる。このドア１は、採光パネル３を透して、部屋に光をとり入れることができる。また、利用者は、採光パネル３を開位置に配置することで通気開口部２０を通して部屋の換気を行い、採光パネル３を閉位置に配置することで通気開口部２０を塞ぐことができる。すなわち、本実施形態のドア１は、透光性を有する採光パネル３を通気開口部２０を開閉する部材として用いることにより、通気機能と採光機能の両者を有することができる。このため、通気機能と採光機能の両機能を確保しながら、ドア１の外観をシンプルにすることができ、また、ドア１の構造を簡単にすることができる。
【００６６】
また、採光パネル３を縦軸回りに回動自在にすることで、横軸回りに回動自在にする場合と比較して、採光パネル３に埃やごみ等が付き難くなる。また、これにより採光パネル３を透して部屋に光を取り入れるときに、採光パネル３に積もった埃やごみ等が影となって映り難くなる。また、縦軸回りに回動自在な採光パネル３を縦長にすることにより、開位置に配置された採光パネル３と通気開口部２０の両側面の間に形成される通気用の空間を大きくして十分な通気量を確保することもできる。
【００６７】
また、利用者がドア１を開閉するにあたってドア本体１の戸先側を操作する際、及び利用者が採光パネル３を開閉する際に、当該利用者から採光パネル３を通してドア１の裏側に居る人を視認しやすくなる。従って、利用者がドア１を開閉する際や、採光パネル３を開閉する際に、不意にドア１が開かれて利用者に接触するといった事態を生じ難くすることができ、安全性を高めることができる。また、採光パネル３を、ドア１の戸先側を操作する利用者にとって操作しやすい位置に配置できるといった利点もある。
【００６８】
また、ドア１は、本実施形態のように、通気開口部２０がドア本体２の上下方向に複数設けられ、これら通気開口部２０の夫々に採光パネル３が設けられることが好ましい。このようにすると、上下長さが短く撓みにくい採光パネル３を利用して、ドア本体２に上下に長い採光部分を設けることができる。また、この場合、ドア本体２に取手としてレバーハンドル１０が設けられ、ドア本体２において上下に隣り合う通気開口部２０の間の部分（中間連結材７２）が、正面視でレバーハンドル１０と重なる位置に設けられることが好ましい。このようにすると、ドア１を正面から見た場合に、隣り合う通気開口部２０の間の部分がレバー部１００の先部の後側に位置する。従って、レバーハンドル１０のレバー部１００で採光パネル３が隠れ難くなり、採光パネル３から光を十分量とり入れることが可能になる。
【００６９】
本実施形態では、採光パネル３を、透光板４とパネル枠５で構成したが、図９や図１０に示されるように、パネル枠５を省略し、採光パネル３を透光板４で構成してもよい。すなわち、この場合は、透光板４の上下両端部に軸部５１０が設けられることとなる。図９、図１０の例では、透光板４の水平断面形状が平行四辺形であり、採光パネル３が開位置に配置されたとき、透光板４の戸先側の端面がドア本体２の前面と平行且つ面一になり、吊元側の端面がドア本体２の後面と平行且つ面一になるようにしてある。なお、図１０の例では、図９の例と比較して、縁隠し材８の厚みが大きくなっており、ドア本体２の厚みの１／２を超えている。
【００７０】
また、採光パネル３は、その一部がドア本体２の厚み方向における外側に位置するものであってもよい。また、付勢部材９５はコイルばね以外の弾性体であってもよい。また、ダンパー９４もオイルダンパーやシリンダーダンパーに限られるものではなく、ロータリーダンパー等、従来から知られている他のダンパーを用いてもよい。
【００７１】
この他、本発明は上述した実施形態に限定されるものではなく、本発明の趣旨を逸脱しない範囲内で適宜設計変更可能である。
【符号の説明】
【００７２】
１  ドア
２  ドア本体
３  採光パネル
１０  レバーハンドル
２０  通気開口部
【図１】
2015010395.tif 000003
【図２】
2015010395.tif 000004
【図３】
2015010395.tif 000005
【図４】
2015010395.tif 000006
【図５】
2015010395.tif 000007
【図６】
2015010395.tif 000008
【図７】
2015010395.tif 000009
【図８】
2015010395.tif 000010
【図９】
2015010395.tif 000011
【図１０】
2015010395.tif 000012